(57)【特許請求の範囲】
【請求項１】
（ｉ）周期表の１Ｂ族に属する元素、２Ｂ族に属する元素及び８族に属する元素から選ばれた少なくとも一種の元素、
（ｉｉ）前記（ｉ）項の元素のイオン、
（ｉｉｉ）前記（ｉ）項の元素を含む酸化物、
（ｉｖ）前記（ｉ）項の元素を含む水酸化物、並びに
（ｖ）前記（ｉ）項の元素を含む塩類
から選ばれた少なくとも一種の成分を、
Ｓｉ−Ａｌ系複合酸化物、Ａｌ−Ｐ系複合酸化物及びＳｉ−Ａｌ−Ｐ系複合酸化物から選ばれた少なくとも一種の複合酸化物に担持させてなる一般式（ＩＩ）：
Ｒｆ−（ＣＨ２）ｎＯＨ      （ＩＩ）
（式中、Ｒｆは、パーフルオロアルキル基又はポリフルオロアルキル基を示し、ｎは、１〜５の整数である。）で表される含フッ素アルコール化合物製造用触媒。
【請求項２】
複合酸化物がゼオライト構造を有する酸化物である請求項１に記載の触媒。
【請求項３】
複合酸化物に担持させる成分が、Ｃｕ、Ａｇ、Ｎｉ、Ｃｏ、Ｆｅ、Ｈｇ及びＰｄから選ばれた元素のイオン、該元素を含む酸化物、該元素を含む水酸化物、並びに該元素を含む塩類から選ばれた少なくとも一種の成分である請求項１又は２に記載の触媒。
【請求項４】
請求項１〜３のいずれか一項に記載の触媒の存在下に、一般式（Ｉ）：
Ｒｆ−（ＣＨ２）ｎＸ      （Ｉ）
（式中、Ｒｆは、パーフルオロアルキル基又はポリフルオロアルキル基を示し、Ｘは、Ｉ、Ｂｒ又はＣｌを示す。ｎは、１〜５の整数である。）で表されるハロゲン化フッ素化合物と水とを反応させることを特徴とする、一般式（ＩＩ）：
Ｒｆ−（ＣＨ２）ｎＯＨ      （ＩＩ）
（式中、Ｒｆ及びｎは上記に同じ）で表される含フッ素アルコール化合物の製造方法。
【請求項５】
含酸素ガス雰囲気中でハロゲン化フッ素化合物と水とを反応させる請求項４に記載の製造方法。
【請求項６】
加圧下で反応を行う請求項４又は５に記載の製造方法。
【請求項７】
請求項５の方法において、一般式（Ｉ）におけるＸがＩであり、副生するＩ２を回収する工程を含む含フッ素アルコール化合物の製造方法。
【発明の詳細な説明】
【０００１】
技術分野
本発明は、含フッ素アルコール化合物の製造方法及び該製造方法に用いる触媒に関する。
【０００２】
背景技術
撥水撥油性を有する含フッ素アルコールの製造法としては、ハロゲン化アルキルを触媒上で処理してアルコールとする方法が提案されている（特表平４−５０６５０７号公報）。しかしながら、この方法は、４００〜６００℃という高温度の気相反応を利用するものであり、しかも転化率と選択率がともに低いという欠点がある。
【０００３】
発明の開示
本発明の主な目的は、特殊な試薬や溶媒を用いることなく、比較的穏和な反応条件で、高収率で含フッ素アルコール化合物を製造できる方法を提供することである。
【０００４】
本発明者は、上記した目的を達成すべく鋭意研究を重ねた結果、周期表の特定の族の元素、その元素のイオン、その元素を含む酸化物、水酸化物、塩類等を、特定の複合酸化物に担持させてなる触媒を用いることによって、比較的低い反応温度で、高収率で含フッ素アルコール化合物を製造できることを見出し、ここに本発明を完成するに至った。
【０００５】
即ち、本発明は、下記の含フッ素アルコール化合物の製造用触媒及び含フッ素アルコール化合物の製造方法を提供するものである。
１．
（ｉ）周期表の１Ｂ族に属する元素、２Ｂ族に属する元素、６Ａ族に属する元素、７Ａ族に属する元素及び８族に属する元素から選ばれた少なくとも一種の元素、
（ｉｉ）前記（ｉ）項の元素のイオン、
（ｉｉｉ）前記（ｉ）項の元素を含む酸化物、
（ｉｖ）前記（ｉ）項の元素を含む水酸化物、並びに
（ｖ）前記（ｉ）項の元素を含む塩類から選ばれた少なくとも一種の成分を、Ｓｉ−Ａｌ系複合酸化物、Ａｌ−Ｐ系複合酸化物及びＳｉ−Ａｌ−Ｐ系複合酸化物から選ばれた少なくとも一種の複合酸化物に担持させてなる含フッ素アルコール化合物製造用触媒。
２．複合酸化物がゼオライト構造を有する酸化物である上記項１に記載の触媒。
３．複合酸化物に担持させる成分が、Ｃｕ、Ａｇ、Ｎｉ、Ｃｏ、Ｆｅ、Ｈｇ及びＰｄから選ばれた元素のイオン、該元素を含む酸化物、該元素を含む水酸化物、並びに該元素を含む塩類から選ばれた少なくとも一種の成分である上記項１又は２に記載の触媒。
４．上記項１〜３のいずれか一項に記載の触媒の存在下に、一般式（Ｉ）：
Ｒｆ−（ＣＨ２）ｎＸ      （Ｉ）
（式中、Ｒｆは、パーフルオロアルキル基又はポリフルオロアルキル基を示し、Ｘは、Ｉ、Ｂｒ又はＣｌを示す。ｎは、１〜５の整数である。）で表されるハロゲン化フッ素化合物と水とを反応させることを特徴とする、一般式（ＩＩ）：
Ｒｆ−（ＣＨ２）ｎＯＨ      （ＩＩ）
（式中、Ｒｆ及びｎは上記に同じ）で表される含フッ素アルコール化合物の製造方法。
５．含酸素ガス雰囲気中でハロゲン化フッ素化合物と水とを反応させる上記項４に記載の製造方法。
６．加圧下で反応を行う上記項４又は５に記載の製造方法。
７．上記項５の方法において、一般式（Ｉ）におけるＸがＩであり、副生するＩ２を回収する工程を含む含フッ素アルコール化合物の製造方法。
【０００６】
本発明で用いる含フッ素アルコール化合物の製造用触媒は、
（ｉ）周期表の１Ｂ族に属する元素、２Ｂ族に属する元素、６Ａ族に属する元素、７Ａ族に属する元素及び８族に属する元素から選ばれた少なくとも一種の元素、
（ｉｉ）前記（ｉ）項の元素のイオン、
（ｉｉｉ）前記（ｉ）項の元素を含む酸化物、
（ｉｖ）前記（ｉ）項の元素を含む水酸化物、並びに
（ｖ）前記（ｉ）項の元素を含む塩類
から選ばれた少なくとも一種の成分を、
Ｓｉ−Ａｌ系複合酸化物、Ａｌ−Ｐ系複合酸化物及びＳｉ−Ａｌ−Ｐ系複合酸化物から選ばれた少なくとも一種の複合酸化物に担持させたものである。
【０００７】
これらの元素の内で、１Ｂ族に属する元素としては、Ｃｕ、Ａｇ、Ａｕ等を例示でき、２Ｂ族に属する元素としてはＺｎ、Ｃｄ、Ｈｇ等を例示でき、６Ａ族に属する元素としては、Ｃｒ、Ｍｏ、Ｗ等を例示でき、７Ａ族に属する元素としては、Ｍｎ、Ｔｃ、Ｒｅ等を例示でき、８族に属する元素としては、Ｎｉ、Ｃｏ、Ｆｅ、Ｒｕ、Ｒｈ、Ｐｄ、Ｐｔ、Ｉｒ等を例示できる。これらの元素は、一種単独又は二種以上混合して用いることができる。
【０００８】
本発明では、これらの各元素自体を担持させる他、これらの元素のイオン、これらの元素を含む酸化物、水酸化物、塩類等を担持させてもよい。以下、本明細書では、これらの成分を総称して、担持成分ということがある。
【０００９】
担持成分の内で、酸化物については、上記元素を含む酸化物であればよく、元素の価数に限定はない。又、水酸化物についても、上記元素を含む水酸化物であればよく、元素の価数に限定はない。イオンについても、上記元素のイオンであれば良く、その電荷数に限定はない。塩類としては、例えば、硫酸塩、硝酸塩、炭酸塩等を用いることができる。
【００１０】
上記した担持成分は、一種単独又は二種以上混合して用いることができる。
【００１１】
上記した担持成分の内で、Ｃｕ、Ａｇ、Ｎｉ、Ｃｏ、Ｆｅ、Ｈｇ、Ｐｄ等の各元素のイオン、該元素を含む酸化物、該元素を含む水酸化物、該元素を含む塩類等が好ましい。Ｃｕ、Ｎｉ等を含む担持成分を用いた触媒については、目的物の選択率が高くなり、Ａｇを含む担持成分を用いた触媒については、比較的低温での反応が可能となり、Ｆｅを含む担持成分を用いた触媒については、良好な触媒活性を示すものとなる。
【００１２】
本発明の触媒では、上記した担持成分を担持するための担体として、Ｓｉ−Ａｌ系複合酸化物、Ａｌ−Ｐ系複合酸化物、及びＳｉ−Ａｌ−Ｐ系複合酸化物から選ばれた少なくとも一種の複合酸化物を用いる。
【００１３】
この様な複合酸化物の具体例としては、シリカ・アルミナ、シリカ・アルミナ系合成ゼオライト、シリカ・アルミナ系天然ゼオライト、燐酸アルミニウム、燐酸アルミニウム系合成ゼオライト、Ｓｉ−Ａｌ−Ｐ系合成ゼオライト（ＳＡＰＯ）等を挙げることができる。
【００１４】
Ｓｉ−Ａｌ系複合酸化物、Ａｌ−Ｐ系複合酸化物及びＳｉ−Ａｌ−Ｐ系複合酸化物から選ばれた少なくとも一種の複合酸化物に、上記した担持成分を担持させた触媒を用いることによって、後述する含フッ素アルコール化合物の製造方法において、原料の転化率、目的生成物の選択率等を向上させることができる。これらの複合酸化物の内で、ゼオライト構造を有する酸化物を用いる場合には、特にアルコール選択率が高くなる。
【００１５】
上記担持成分を複合酸化物上に担持させる方法については、特に限定はなく、担持させる成分の種類に応じて、従来から用いられている各種の担持方法を適宜適用すればよい。例えば、ゾルゲル法、水熱合成法、含浸法、共沈法、ＣＶＤ法（化学気相成長法）、イオン注入法などのいかなる方法も採用することができる。
【００１６】
例えば、Ｓｉ−Ａｌ−Ｐ系の複合酸化物としてＳＡＰＯ−１１型ゼオライトを用いる場合には、ゼオライトを可溶性金属化合物溶液（例えば、硫酸銅等の金属塩類の水溶液）中に浸漬して、該溶液をゼオライトに含浸させた後、必要に応じて焼成することによって、上記した担持成分を複合酸化物に担持させることができる。金属化合物溶液に浸漬するときの複合酸化物の形状は、粉末状、粒状、錠剤、ハニカム状などが挙げられ、特に制限されない。
【００１７】
上記担持成分を担持した複合酸化物からなる触媒において、触媒全体中の担持成分の比率は金属酸化物量として換算して、１〜３０重量％程度とすることが適当であり、５〜１５重量％程度とすることが好ましい。
【００１８】
次に、上記した触媒を用いて、含フッ素アルコール化合物を製造する方法について説明する。
【００１９】
本発明方法では、上記した触媒の存在下に、一般式（Ｉ）：
Ｒｆ−（ＣＨ２）ｎＸ      （Ｉ）
（式中、Ｒｆは、パーフルオロアルキル基又はポリフルオロアルキル基を示し、Ｘは、Ｉ、Ｂｒ又はＣｌを示す。ｎは１〜５の整数である。）で表されるハロゲン化フッ素化合物と水とを反応させことによって、一般式（ＩＩ）：
Ｒｆ−（ＣＨ２）ｎＯＨ      （ＩＩ）
（式中、Ｒｆ及びｎは上記に同じ）で表される含フッ素アルコール化合物を製造することができる。
【００２０】
上記一般式（Ｉ）の化合物において、Ｒｆで表されるパーフルオロアルキル基としては、炭素数１〜２０の直鎖状または分岐鎖状のパーフルオロアルキル基を例示でき、具体例としては、ＣＦ３、Ｃ２Ｆ５、（ｎ−又はイソ）Ｃ３Ｆ７、（ｎ−、イソ、ｓｅｃ−又はｔｅｒｔ−）Ｃ４Ｆ９、ＣＦ３（ＣＦ２）ｍ−（ｍは４〜１９の整数を示す）等を挙げることができる。
【００２１】
ポリフルオロアルキル基としては、ＨＣＦ２（ＣＦ２）ｐ−（ｐは１〜１９の整数）等を例示できる。
【００２２】
一般式（Ｉ）で表されるハロゲン化フッ素化合物と水との反応は、バッチ式または連続式で行うことができる。反応装置としては、特に制限はなく、固定床、流動床、移動床等の反応器を備えた気相用の連続反応装置、又はバッチ式反応装置を使用することができる。
【００２３】
気相連続反応によってハロゲン化フッ素化合物と水とを反応させる方法としては、例えば、本発明の触媒を充填したステンレス製反応管を加熱用電気炉にセットし、触媒層を反応温度まで昇温させ、原料及び水をプランジャーポンプ等を用いて一定の速度で気化器に導入し、気化したガスを空気等のキャリアーガスにより触媒層まで同伴させて反応させ、反応生成物を後段のトラップなどで回収すればよい。好ましい反応条件は、使用する触媒の種類により若干異なるが、反応温度は、１２０℃〜４００℃程度、好ましくは１５０℃〜３００℃程度とすればよい。反応は、大気圧下又は加圧下で行うことができ、特に、加圧下、好ましくは、絶対圧で表示して、０．２９４ＭＰａ以上、より好ましくは０．３９２ＭＰａ以上、さらに好ましくは０．４９ＭＰａ以上、特に好ましくは０．５８８ＭＰａ以上の圧力下で反応させる場合には、アルコール選択率を向上させることができる。ハロゲン化フッ素化合物と水とのモル比は、１：０．２〜２００程度が望ましい。Ｗ／Ｆ（接触時間）は０．１〜１０ｇ・ｓｅｃ／ｍｌ程度とすればよい。
【００２４】
又、バッチ式で反応を行う場合には、例えば、オートクレーブ等の圧力容器に原料、水、触媒を仕込み、ヒーターにて反応温度まで昇温させ、攪拌下に一定時間反応させればよい。好ましい反応条件は、使用する触媒の種類により若干異なるが、反応温度は、１２０℃〜４００℃程度、好ましくは１５０℃〜３００℃程度とすればよい。又、ハロゲン化フッ素化合物と水とのモル比は、１：０．２〜２００程度が望ましい。ハロゲン化フッ素化合物と触媒の重量比は、１：０．０１〜１程度とすればよい。反応時間は１時間〜１００時間程度とすればよい。
【００２５】
反応雰囲気としては、窒素、ヘリウム、炭酸ガス等の不活性ガス雰囲気の他、例えば空気等の含酸素ガス中や、含酸素ガスを不活性ガスで希釈した雰囲気中で反応を行っても良い。特に、空気等の含酸素ガス雰囲気中で反応させることにより、反応により生成したＨＸが速やかにＸ２に酸化されるので、容易にＸ２を回収できる。回収したＸ２は、上記一般式（Ｉ）：Ｒｆ−（ＣＨ２）ｎＸで表される原料化合物の製造工程において原料として用いることができる。特に、生成するＸ２が、Ｉ２の場合には、従来、ヨウ素イオンを含む廃液からヨウ素を回収する際に必要とされている塩素による酸化工程などの煩雑で環境上好ましくない処理を行うこと無く、ヨウ素を回収できる点で有利である。この様にして回収されるヨウ素は、極めて重要な資源であり、精留、昇華などの方法により回収して、本発明方法の原料化合物であるハロゲン化フッ素化合物の製造原料として用いることができる。
【００２６】
連続反応においては、反応原料、水とともに空気等の含酸素ガスを同伴させることにより、触媒活性の劣化を防止できる。この場合には、酸素量は、ハロゲン化フッ素化合物１モルに対して、１／４モル程度以上とすることが好ましい。
【００２７】
本発明の製造方法によれば、特定の触媒の存在下に、水とハロゲン化フッ素化合物とを反応させることによって、比較的低い反応温度で、高収率で含フッ素アルコール化合物を製造することができる。
【００２８】
発明を実施するための最良の形態
以下、実施例を用いて本発明をより詳細に説明するが、本発明はこれらの実施例に限定されるものではない。
【００２９】
触媒調製
（製造例１）
イオン交換水３０ｃｃにＣｕＳＯ４・５Ｈ２Ｏを１．８８ｇ溶解させて硫酸銅水溶液を調製した。この硫酸銅水溶液３０ｃｃ中に、市販のＳｉ−Ａｌ−Ｐ系ゼオライト（ＳＡＰＯ−１１）１０ｇを入れて、ゼオライト中に硫酸銅水溶液を含浸させた。この溶液を濾過後、湯浴にて加熱し乾固させた。
【００３０】
さらに、マッフル炉にて３００℃で３時間焼成して、下記実施例における反応に供した。焼成後の生成物中には、銅化合物がＣｕＯ換算で６重量％担持されていた。
【００３１】
（製造例２）
製造例１で用いたものと同様の硫酸銅水溶液３０ｃｃ中に、市販のＳｉ−Ａｌ−Ｐ系ゼオライト（ＳＡＰＯ−３４）１０ｇを入れて、ゼオライト中に硫酸銅水溶液を含浸させた。この溶液を濾過後、湯浴にて加熱し乾固させた。
【００３２】
さらに、マッフル炉にて３００℃で３時間焼成して、下記実施例における反応に供した。焼成後の生成物中には、銅化合物がＣｕＯ換算で６重量％担持されていた。
【００３３】
（製造例３）
イオン交換水３０ｃｃにＮｉＳＯ４・６Ｈ２Ｏを２．１０ｇ溶解させて硫酸ニッケル水溶液を調製した。この硫酸ニッケル水溶液３０ｃｃ中に、市販のＳｉ−Ａｌ−Ｐ系ゼオライト（ＳＡＰＯ−３４）１０ｇを入れて、ゼオライト中に硫酸ニッケル水溶液を含浸させた。この溶液を濾過後、湯浴にて加熱し乾固させた。
【００３４】
さらに、マッフル炉にて３００℃で３時間焼成して、下記実施例における反応に供した。焼成後の生成物中には、ニッケル化合物がＮｉＯ換算で６重量％担持されていた。
【００３５】
（製造例４）
イオン交換水３０ｃｃにＦｅ２（ＳＯ４）３・ｎＨ２Ｏ（Ｆｅ２（ＳＯ４）３量として６０重量％含有）１．３０ｇを溶解させて硫酸鉄水溶液を調製した。この硫酸鉄水溶液３０ｃｃ中に、市販のＳｉ−Ａｌ−Ｐ系ゼオライト（ＳＡＰＯ−３４）１０ｇを入れて、ゼオライト中に硫酸鉄水溶液を含浸させた。この溶液を濾過後、湯浴にて加熱し乾固させた。
【００３６】
さらに、マッフル炉にて３００℃で３時間焼成して、下記実施例における反応に供した。焼成後の生成物中には、鉄化合物がＦｅ２Ｏ３換算で６重量％担持されていた。
【００３７】
（製造例５）
イオン交換水３０ｃｃにＡｇＮＯ３０．８８ｇを溶解させて硝酸銀水溶液を調製した。この硝酸銀水溶液３０ｃｃ中に、市販のＳｉ−Ａｌ−Ｐ系ゼオライト（ＳＡＰＯ−３４）１０ｇを入れて、ゼオライト中に硝酸銀水溶液を含浸させた。この溶液を濾過後、湯浴にて加熱し乾固させた。
【００３８】
さらに、マッフル炉にて３００℃で３時間焼成して、下記実施例における反応に供した。焼成後の生成物中には、銀化合物がＡｇ２Ｏ換算で６重量％担持されていた。
【００３９】
（製造例６）
イオン交換水３０ｃｃにＨｇＳＯ４（０．８５ｇ）を溶解させて硫酸水銀水溶液を調製した。この硫酸水銀水溶液３０ｃｃの中に、市販のＳｉ−Ａｌ−Ｐ系ゼオライト（ＳＡＰＯ−１１）１０ｇを入れて、ゼオライト中に硫酸水銀水溶液を含浸させた。この溶液を濾過後、湯浴にて加熱し乾固させた。さらに、マッフル炉にて３００℃で３時間焼成し、下記実施例における反応に供した。焼成後の生成物中には水銀化合物がＨｇＯ換算で６重量％担持されていた。
【００４０】
（製造例７）
イオン交換水３０ｃｃにＣｕＳＯ４・５Ｈ２Ｏ（１．８８ｇ）およびＡｇＮＯ３（０．０９ｇ）を溶解させて水溶液を調製した。この水溶液３０ｃｃの中に、市販のＳｉ−Ａｌ−Ｐ系ゼオライト（ＳＡＰＯ−１１）１０ｇを入れて、ゼオライト中に水溶液を含浸させた。この溶液を濾過後、湯浴にて加熱し乾固させた。さらに、マッフル炉にて３００℃で３時間焼成し、下記実施例における反応に供した。焼成後の生成物中には、銅化合物がＣｕＯ換算で６重量％と銀化合物がＡｇ２Ｏ換算で０．６重量％担持されていた。
【００４１】
（製造例８）
イオン交換水３０ｃｃにＣｕＳＯ４・５Ｈ２Ｏ（１．８８ｇ）およびＡｇＮＯ３（０．０１ｇ）を溶解させて水溶液を調製した。この水溶液３０ｃｃの中に、市販のＳｉ−Ａｌ−Ｐ系ゼオライト（ＳＡＰＯ−１１）１０ｇを入れて、ゼオライト中に水溶液を含浸させた。この溶液を濾過後、湯浴にて加熱し乾固させた。さらに、マッフル炉にて３００℃で３時間焼成し、下記実施例における反応に供した。焼成後の生成物中には、銅化合物がＣｕＯ換算で６重量％と、銀化合物がＡｇ２Ｏ換算で０．０６重量％担持されていた。
【００４２】
（製造例９）
イオン交換水３０ｃｃにＰｄ（ＮＯ３）２（１．１３ｇ）を溶解させて硝酸パラジウム水溶液を調製した。この硝酸パラジウム水溶液３０ｃｃの中に、市販のＳｉ−Ａｌ−Ｐ系ゼオライト（ＳＡＰＯ−１１）１０ｇを入れて、ゼオライト中に硝酸パラジウム水溶液を含浸させた。この溶液を濾過後、湯浴にて加熱し乾固させた。さらに、マッフル炉にて３００℃で３時間焼成し、下記実施例における反応に供した。焼成後の生成物中にはパラジウム化合物がＰｄＯ換算で６重量％担持されていた。
【００４３】
（製造例１０）
イオン交換水３０ｃｃにＣｕＳＯ４・５Ｈ２Ｏ（１．８８ｇ）を溶解させて硫酸銅水溶液を調製した。この硫酸銅水溶液３０ｃｃの中に、市販のハイシリカゼオライト（東ソー製）１０ｇを入れて、これに水溶液を含浸させた。この溶液を濾過後、湯浴にて加熱し乾固させた。さらに、マッフル炉にて３００℃で３時間焼成し、下記実施例における反応に供した。焼成後の生成物中には銅化合物がＣｕＯ換算で６重量％担持されていた。
【００４４】
（製造例１１）
イオン交換水３０ｃｃにＣｕＳＯ４・５Ｈ２Ｏ（１．８８ｇ）を溶解させて硫酸銅水溶液を調製した。この硫酸銅水溶液３０ｃｃの中に、市販の燐酸アルミニウム（ＡｌＰＯ４）１０ｇを入れて、これに水溶液を含浸させた。この溶液を濾過後、湯浴にて加熱し乾固させた。さらに、マッフル炉にて３００℃で３時間焼成し、下記実施例における反応に供した。焼成後の生成物中には銅化合物がＣｕＯ換算で４重量％担持されていた。
【００４５】
実施例１
内径１０ｍｍ、長さ２５０ｍｍのステンレス製反応管に製造例１の触媒を１０ｇ充填し、ヒーターにて２７５℃に昇温させた。ＣＦ３ＣＦ２（ＣＦ２ＣＦ２）２ＣＨ２ＣＨ２Ｉと水をそれぞれ２．５ｇ／ｈｒと１２ｇ／ｈｒの速度でプランジャー型ポンプにより気化器（予備加熱相）に供給して気化させ、キャリアーガスとして空気を３５ｃｃ／分で供給して、気化したガスを同伴させて触媒上に供給して、触媒上で接触反応させた。反応管出口に取り付けた氷トラップ、およびドライアイス／メタノールトラップにて反応物を回収し、ガスクロマトグラフィー分析を行ったところ、転化率９８％、選択率９５％でアルコール（ＣＦ３ＣＦ２（ＣＦ２ＣＦ２）２ＣＨ２ＣＨ２ＯＨ）が生成していた。
【００４６】
実施例２〜実施例４
上記製造例２〜４の触媒を用い、実施例１と同様の方法により反応を行った。分析結果を下表に示す。
【００４７】
【表１】
0004525884.tif 000002
【００４８】
実施例５
内径１０ｍｍ、長さ２５０ｍｍのステンレス製反応管に製造例５の触媒を１０ｇ充填し、ヒーターにて１６５℃に昇温させた。実施例１と同様の方法で、ＣＦ３ＣＦ２（ＣＦ２ＣＦ２）２ＣＨ２ＣＨ２Ｉと水を、それぞれ２．５ｇ／ｈｒと１２ｇ／ｈｒの速度で触媒上に供給し、触媒上で接触反応させた。反応管出口に取り付けた氷トラップ、およびドライアイス／メタノールトラップにて反応物を回収しＧＣ分析を行ったところ、転化率１００％、選択率８１％でアルコール（ＣＦ３ＣＦ２（ＣＦ２ＣＦ２）２ＣＨ２ＣＨ２ＯＨ）が生成していた。
【００４９】
実施例６
内径１０ｍｍ、長さ２５０ｍｍのステンレス製反応管に、製造例６の触媒を１５ｇ充填し、ヒーターにて１８０℃に昇温させた。ＣＦ３ＣＦ２（ＣＦ２ＣＦ２）２ＣＨ２ＣＨ２Ｉと水を、それぞれ２．５ｇ／ｈｒと１２ｇ／ｈｒの速度で気化器に供給して気化させ、キャリアーガスとして空気を３５ｃｃ／分で供給して、気化したガスを同伴させて、上記反応管の触媒上に供給し、触媒上で接触反応させた。反応管出口に取り付けた氷トラップ、およびドライアイス／メタノールトラップにて反応物を回収しＧＣ分析を行ったところ、転化率９３％、選択率９５％でアルコールが生成していた。
【００５０】
実施例７〜実施例１１
上記製造例７〜１１の触媒を用い、反応温度以外は実施例６と同様の方法により反応を行った。反応物の分析結果を下表に示す。
【００５１】
【表２】
0004525884.tif 000003
【００５２】
実施例１２
内径１０ｍｍ、長さ２５０ｍｍのステンレス製反応管に、製造例８の触媒を２０ｇ充填し、ヒーターにて１８０℃に昇温させた。ＣＦ３ＣＦ２（ＣＦ２ＣＦ２）ｐＣＨ２ＣＨ２Ｉ（組成モル比 ｐ＝１／ｐ＝２／ｐ＝３／ｐ＝４／ｐ＝５／ｐ＝６ ＝ １．０／９．３／２．７／１．１／０．４８／０．１７の混合物）と水を、それぞれ２．８ｇ／ｈｒと１２ｇ／ｈｒの速度で気化器に供給して気化させ、キャリアーガスとして空気を３５ｃｃ／分で供給して、気化したガスを同伴させて上記反応管の触媒上に供給し、触媒上で接触反応させた。反応管出口に取り付けた氷トラップ、およびドライアイス／メタノールトラップにて反応物を回収しＧＣ分析を行ったところ、転化率９１％、選択率９１％で対応する各アルコールが生成していた。
【００５３】
実施例１３
実施例１と同様の方法で約４００時間反応を継続して行い、反応物を回収してＧＣ分析を行ったところ、転化率９０％、選択率９５％でアルコールが生成していた。
【００５４】
実施例１４
実施例６の方法において、反応を加圧下（０．３９２ＭＰａ（絶対圧））で行ったところ、転化率１００％、選択率９８％でアルコールが得られた。
【００５５】
実施例１５
実施例１３で得られた反応生成物を、８０℃に加熱しながら濾過したところ回収率６０％でＩ２固体が得られた。